(57)【要約】      （修正有）【課題】ウォーターサーバーに取り付けられる給水ボトルにおいて、輸送時にダンボールやコンテナ等の補助具を用いないで積み重ねられるプラスチック製の給水ボトルを提供する。【解決手段】ブロー成型の業者なら誰でも簡単に造ることができる給水ボトルの吸水位置とウォーターサーバーとの取付構造を共に変え、また給水ボトルの天部、底部に凹凸を設け、積み重ねを容易にすることで製造コストを低く抑え、高能率での輸送、省スペース、そして、結束する道具や装置を不要にした。【選択図】図１
2008184223.tif 000002
【特許請求の範囲】
【請求項１】
プラスチック製給水ボトルを載置して水の供給を受ける手段と、
水を気温よりも低温に保つ冷水タンク、及び／又は、水を気温よりも高温に保つ温水タンクと、
冷水タンク、及び／又は、温水タンク内の水を導いて流出させる吸水管と、
給水管の先端部に接続されていて、開閉弁機能を有する蛇口とを具備しているウォーターサーバーにおいて、
給水ボトルを載置したウォーターサバーの給水ボトルからの吸入位置を変える事で、給水ボトルの形状変更が可能になり、効果的、能率的に給水ボトルを目的地に輸送する事が出来るプラスチック製給水ボトル。
【請求項２】
プラスチック製給水ボトルを載置して水の供給を受ける手段と、
水を気温よりも低温に保つ冷水タンク、及び／又は、水を気温よりも高温に保つ温水タンクと、
冷水タンク、及び／又は、温水タンク内の水を導いて流出させる吸水管と、
給水管の先端部に接続されていて、開閉弁機能を有する蛇口とを具備しているウォーターサーバーにおいて、
前記ウォーターサーバーの吸入口（ハウジング）部分がウォーターサーバーの外部に出しているのを特徴とすることで、給水ボトル自体に補助具（結束バンド、ダンボール、糊）の機能が具備されることのなる、したがって補助具なしで、効果的、能率的に給水ボトルを目的地に輸送出来る機能を有することを可能させたウォーターサーバー。
【請求項３】
請求項１に記載した、給水ボトルでは、吸水口が給水ボトルの内側に位置していることを特徴とすることで、コンテナや棚を使用せずに、給水ボトルに手を加えることなく（ダンボール等の補助具を使用することを必要としないで）、積み重ねての保管や移動の機能を給水ボトル自体に有すプラスチック製給水ボトル。
【請求項４】
プラスチック製給水ボトルを載置して水の供給を受ける手段と、
水を気温よりも低温に保つ冷水タンク、及び／又は、水を気温よりも高温に保つ温水タンクと、
冷水タンク、及び／又は、温水タンク内の水を導いて流出させる吸水管と、
給水管の先端部に接続されていて、開閉弁機能を有する蛇口とを具備しているウォータ  ーサーバーにおいて、
ウォーターサーバーの吸入口（ハウジング）をウォーターサーバーの本体から、数センチ上部に突き出させる事により、請求項１、に記載した、給水ボトルを作り出すことを可能にしたウォーターサーバー。
【請求項５】
プラスチック製給水ボトルを載置して水の供給を受ける手段と、
水を気温よりも低温に保つ冷水タンク、及び／又は、水を気温よりも高温に保つ温水タンクと、
冷水タンク、及び／又は、温水タンク内の水を導いて流出させる吸水管と、
給水管の先端部に接続されていて、開閉弁機能を有する蛇口とを具備しているウォータ  ーサーバーにおいて、
請求項１、及び／又は請求項３の給水ボトルの上部（吸水口の外側）に吸水口に沿って円状及び／又は四角を含む凹み部分を設ける、一方、給水ボトルの底部に円状及び／又は四角の凸を４カ所、配置する事により、２個以上の給水ボトルを積み重ねした場合（凹に凸が入るように工夫することで）に、輸送時の給水ボトルのずれを防止する機能を有するプラスチック製給水ボトル。
【請求項６】
請求項１、請求項３に記載した、給水ボトルは、従来品と比較し作成時のバリ（制作した給水ボトルに付着している、取り除く必要な原材料の一部分）が少量に押さえる事が出来ることにより、制作費を安価にする機能を有する給水ボトル。（給水ボトルの形状がシンプルになるので、造りやすく、バリがでない）
【請求項７】
請求項１，請求項３、、請求項５、請求項６に記載した、給水ボトルに僅かな凹凸を付けることと、請求項２、請求項４に記載した、ウォーターサーバーの凸部分の、合わせて、３の面の位置を統一か一致（ウォーターサーバーに給水ボトルをセット時、及び／又は給水ボトル同士を重ねる時）させることで、給水ボトルの形状をシンプルなものにする事が出来る、結果、バリ（従来のボトルの様に、給水口を容器の外に出す必要が無くなるので、余分な凹凸が少なくなり、バリを減らす事が出来る）を減らし、安価な給水ボトルが出来、そして、省スペースを可能にし、コンテナや棚を必要としないので、多量の給水ボトルを結束バンドや糊を使うことなく輸送できる機能を有するプラスチック製給水ボトル。
【発明の詳細な説明】
【技術分野】
【０００１】本発明はプラスチック製給水ボトル自体に、コンテナーと容器の機能を合わせ持たせた、技術に関するものである。
【技術背景】
【０００２】図５は従来一般に用いられているウォーターサーバー８Ｃの外観を描いた正面図である。
尚、本発明を適用すると、ウォーターサーバー１Ａ  ，１Ｂの上部の外観に変化が現れる。
一般の上水道よりも良質の水が給水ボトル１Ａ，１Ｂ，１Ｃに入れられて供給され、ウォーターサーバー８Ａ，８Ｂは該給水ボトルを載置して保持する。
ウォターターサバー８Ａ，８Ｂの中には、冷却機を備えた冷水タンク及び、ヒーターを備えた温水タンク（本図２において、共に隠れている）が設けられて、手動レバー９を操作すると冷却水蛇口から冷水が、温水蛇口から温水が、それぞれ所望のごとく注ぎ出される。
【０００３】ウォーターサービスにおいては、温度制御機能や注水、注湯機能が確実に行われることは当然であるが、給水ボトルを経済的に能率く移動、輸送及び保管の手段を行う事が地球温暖化の予防として必要である。
【０００４】従来の積み重ねボトルは、その形状が原因で、従来品の底部が平らな給水ボトルと比較して、耐久性で三分の一位しかなく（底部に凹を付けているために、取って部分の角が地面に当たるので、振動や衝撃に弱い構造であった）又、同構造から来る理由で、バリ（制作時に出来、製品に付着しいてる、取り除く必要な原材料の一部分）が従来品の底部が平らな給水ボトルと比較して２倍位、発生するので、１個当たりの製造コストは従来品の底部の平らな物と比較して、２倍になっていた。（複雑な形状になるのでバリが出たり、造る難度は増す）
【０００５】プラスチック製の従来の給水ボトル（底の平らの給水ボトル）は輸送時に、ダンボールやコンテナの補助具を使用して重ねる必要が有った。
【０００６】プラスチック製の容器で、従来品重型ボトルで底部を凹まし、底部に取ってを付けないで、成型させることは、現在のブロー成型技術では不可能であった、理由は、従来品のウォーターサーバー（現在１００％の普及品）に合わせる為に、給水ボトルの給水口の長さを１０センチメートル位必要とした、その為に底部は１１センチメートル位上げなければならない（キャプの厚みがあるので）、然し、ブロー成型による作成方法では底上げは８センチメートル位が最大と考えられている、何故なら、ブロー成型では、金型内の、のび方向で、プラスチック樹脂をふくらませるとき、そのパリソン（プラスチック樹脂を溶かしたもの）を金型内で延ば（膨らまし容器の型にする）さなければならない、延び方向では６センチメートル位の上げ底が限度（延びる長さが増せばますほど、パリソンは薄くなるので、容器の厚さが不足してしまうために、満足な製品になりにくい）なので、給水ボトル全体を８センチメートル上げることは無理とされた、やむなく、底部に取って（延び部分を少なくできる）を付てることで、この問題を解決できたのである。然し、底上げ部分が８センチメートルだと、使用できるウォーターサーバーが限られてしまうという欠点が有った。加えて、難度の高い技術力を必要としたので、そのために、造れる場所が限定され、どうしても高コスト（普及品の２倍）になる傾向で有った。
【特許文献】特開２００４−０５１２２０号公報
【特許文献】特開２００４−２３７７０７号公報
【特許文献】特開２００４−１８２３３４号公報
【特許文献】特開２００４−０９１０４４号公報
【特許文献】特開２００４−０５１２２０号公報
【特許文献】特開２００６−３４６８７５号公報
【意匠文献】
登録第１２２７９２９
【意匠文献】
登録第１１８７６７１
【発明の開示】
【発明が解決しようとする課題】
【０００７】本発明は前述の事情に鑑み試されたものであって、その目的とするところは、昨今の地球温暖化の防止、化石燃料の節約、渋滞の緩和及び、わずかなスペースで収納（コンテナ、ダンボールや棚などの補助具を使うことなく）ができるように、又、製造コストを低くしたうえに、耐久性を持たせることができるように、現時点での諸問題の解決をはかる目的である。
【課題を解決するための手段】
【０００８】本発明は、プラチック製の給水ボトルに関して多年研究を重ねた結果、プラスチック製給水ボトル（１Ａ，１Ｂ）の吸水口（２）の部分を給水ボトル（（１Ａ，１Ｂ）の中に収納することで解決が出来ると考えられる。【０００９】上記のプラチック製給水ボトル（１Ａ，１Ｂ）の給水口（２）を給水ボトル内に収納するためには、ウォーターサーバー（８Ａ，８Ｂ）のハウジング（６）の部分を従来のウォーターサーバー（８Ｃ）では、サーバー中に収納されたのを、本発明ではウォーターサーバー（８Ａ、８Ｂ）の外部に出すことにより解決できる。【００１０】ウォーターサーバーの外部にハウジング（６）を出して、出ているハウジングにプラチック製給水ボトル内の吸水口（２）と結合させることによりプラチック製給水ボトル内の水をウォーターサーバー（８Ａ，８Ｂ）内に供給させることが出来る。【００１１】給水ボトル側は給水ボトルの内側に凹（３）を付けて、ウォーターサーバーの凸部（７）と結合させることで、従来品と同程度の安定度を保てるものと解せられる。【００１２】給水ボトル側はボトルの内側を凹（４）まし、凹ました部分（４）に吸水口（２）を付けることで、従来品と同等の機能を持たせるものと解せられる。【００１３】給水ボトルの底部（５の有る側）を平らにし、脚（５）を四隅に設けることで、耐久性は、従来品の底部が平らな給水ボトルと同様の耐久性を保つことが出来ると考えられる。【００１４】給水ボトルの底部に、脚（５）上部に凹（３）を付けることで、重ねたときの滑り止めとして使用できるので（重ねると給水ボトルの給水側に凹が有り、反対側には凸が有るので）、給水ボトルを結束する事無く、重ねて移動することが出来る。
【発明の効果】
【００１５】請求項１の発明に係るウォーターサーバーを適用すると、給水ボトルの輸送量は従来品より３０％以上増量できるので、ＣＯを削減し、化石燃料の節約ができ、その結果として渋滞の緩和に貢献できる。【００１６】請求項２の発明に係るウォーターサーバーを適用すると、ハウジングを外に出すことで、給水ボトルに凸部分を無くすことができ（重ね置き用の脚以外）、結果として、収納時や輸送時の棚やコンテナの必要がなくなり、又、容積を１００％使用（利用）する事が出来るので、経済性に  優れた給水ボトルになる。【００１７】請求項３の発明に係る給水ボトルは、ウォーターサーバーと給水ボトルの２つの機能を一体化する事により解決する事が出来る。【００１８】請求項２、請求項４の発明に係るウォーターサーバーは、ウォーターサーバーのハウジングの部分をサーバー本体より上に出すことで解決できる。【００１９】請求項５の発明に係る給水ボトルは、給水ボトルの上部を円形に凹（３）まし、底部は４カ所の脚（５）（円形で４隅）を、上部の円形の真下に置く事で、輸送時に滑ることなく、重ねる事が出来、耐久性に優れた給水ボトルを発明した。【００２０】請求項６の発明に係る給水ボトル（１Ａ，１Ｂ）は上部の給水口（２）が給水ボトルの高さと同一なので、バリ（給水ボトル制作時に、ボトルに付着していて、取り除く必要な原材料の部分）の出る量は僅かになるので、造りやすく、通常の技術を有する者でも量産することが出来るので、コストを低く抑えることが可能になる。【００２１】請求項７の発明に係る給水ボトルは、ウォーターサーバーと給水ボトルを一体で、制作する事で、可能になる（ウォーターサーバーには凸、給水ボトルには凹凸をつけることで解決できる）。【００２２】従来品で既に考案されていて、現在使用中のプラスチック製の積み重ね式給水ボトル（１Ｃ）では、成型時に４０％  位余分のバリが出来てしまうが（既存のウォーターサーバー（８Ｃ）に適応させるために底部を凹状にしているので）、本発明では、従来品と比較して、かなりのバリを減らす事が出来るので、給水ボトルの制作費を安価にする事が可能になる（約５０％減）。【００２３】給水ボトルの底部に、脚を丸く付けることで、給水ボトルの底部の耐久性を従来品の底部が平らな給水ボトルと同様かそれ以上の耐久性が望める。
【図面の簡単な説明】
【００２４】
【図１】本発明に係るウォーターサーバーと給水ボトルの断面図。
【図２】本発明に係るウォーターサーバーと給水ボトルの正面図。
【図３】本発明に係るウォーターサーバーと給水ボトルの平面図。
【図４】本発明に係るウォーターサーバーと給水ボトルの底面図。
【図５】従来型のウォーターサーバーと給水ボトル。
【符号の説明】
【００２５】１Ａ，１Ｂ，１Ｃ  給水ボトル
２吸水口
３円形の凹ました部分
４吸水口にキャプを装着するためのスペース。
５滑り止めの脚。
６ハウジング
７給水ボトルを固定するための脚
８Ａ，８Ｂ、８Ｃ  ウォーターサーバー。
９手動操作レバー。
１０冷水蛇口。
１１温水蛇口。
【図１】
2008184223.tif 000003
【図２】
2008184223.tif 000004
【図３】
2008184223.tif 000005
【図４】
2008184223.tif 000006
【図５】
2008184223.tif 000007